(57)【要約】【課題】主面に平板を取り付けることで、従来にはなかった新たな美感を起こさせるとともに、当該平板を筆記などの下敷きなどとして用いることができるという機能性を持たせた収納具を提供する。【解決手段】収納具本体０１０１と、前記収納具本体の主面の少なくとも一面０１０３に取り付けられる樹脂製平板０１０２と、を有する収納具０１００であって、前記樹脂製平板は、前記一面と略合同の形状を有し、前記一面の略全面を覆うように取り付けられることを特徴とする収納具を提供する。【選択図】図１
0003207553.tif 000002
【実用新案登録請求の範囲】
【請求項１】
収納具本体と、
前記収納具本体の主面の少なくとも一面に取り付けられる樹脂製平板と、
を有する収納具であって、
前記樹脂製平板は、前記一面と略合同の形状を有し、前記一面の略全面を覆うように取り付けられることを特徴とする収納具。
【請求項２】
前記樹脂製平板は、前記収納具本体の主面の少なくとも一面に着脱自在に取り付けられる請求項１に記載の収納具。
【請求項３】
前記樹脂製平板は、透明アクリル樹脂製である請求項１又は２に記載の収納具。
【請求項４】
前記樹脂製平板は、その裏面に絵画、写真、図形、記号又は文字の一以上からなる模様が裏面に反転印刷されたものである請求項３に記載の収納具。
【考案の詳細な説明】
【技術分野】
【０００１】
本考案は、バッグなどの収納具に関し、特に、収納具に樹脂製平板を取り付けた収納具に関する。
【背景技術】
【０００２】
バッグなどの収納具は、単に収納機能を持たせるだけでなく、美感を起こさせるようなデザイン性にも配慮されるのが通例である。この場合、収納具本体の外面（例えばバッグの主面）自体に絵画、写真、図形、記号や文字による模様を描いて美感を起こさせるようなものとすることが広く行われているが、このほか、収納具の本体に付加する形で金属製、樹脂製などのプレート、バッジなどの部材を収納具の外面に取り付けることも行われている。例えば、特許文献１には、かばんの収納部に装着することができる板状の金属製や樹脂製などのかばん用装飾具が開示されている（特許文献１参照）。
【先行技術文献】
【特許文献】
【０００３】
【特許文献１】特開２０１５−０４７４３７号公報
【考案の概要】
【考案が解決しようとする課題】
【０００４】
しかしながら、従来から知られているプレートやバッジなどの装飾具は、収納具の主面のごく一部の面積を占める形で取り付けられたものにすぎない。特許文献１に開示されている例でも、当該板状の装飾具は、ランドセルなどのかばんの主面をなす収納部外面に設けられたベルトに装着することができる形状、寸法のものであり、かばんの主面全体を覆うようなものではない。
【０００５】
この点、収納具の主面全体を覆うような形で平板を取り付けたものとすれば、従来の収納具にはなかった形態を有するものであることから新たな美感を生じさせ、見る者に強い印象を与えることができると考えられる。
【０００６】
また、収納具の主面がある程度の面積を有するものであれば、主面全体を平板（硬質のものであることが望ましい）で覆うことで、当該板状部材を筆記の際の下敷きなどとして利用できることも考えられる。
【０００７】
さらに、この平板の取付けを着脱自在なものとすれば、複数の異なるデザインの平板を用意して交換的に取り付けたり、一枚の平板を収納具の異なる主面に付け替えたりすることもできるので、さらに異なる美感を起こさせることが可能となることも考えられる。
【０００８】
そこで、本考案の解決すべき課題は、主面に平板を取り付けることで、従来にはなかった新たな美感を起こさせるとともに、当該平板を筆記などの下敷きなどとして用いることができるという機能性を持たせた収納具を提供することにある。
【課題を解決するための手段】
【０００９】
以上の課題を解決するため、本考案のうち第一の考案は、収納具本体と、前記収納具本体の主面の少なくとも一面に取り付けられる樹脂製平板と、を有する収納具であって、前記樹脂製平板は、前記一面と略合同の形状を有し、前記一面の略全面を覆うように取り付けられることを特徴とする収納具を提供する。
【００１０】
また、第二の考案は、第一の考案を基礎として、前記樹脂製平板は、前記収納具本体の主面の少なくとも一面に着脱自在に取り付けられる収納具を提供する。
【００１１】
また、第三の考案は、第一又は第二の考案を基礎として、前記樹脂製平板は、透明アクリル樹脂製である収納具を提供する。
【００１２】
また、第四の考案は、第三の考案を基礎として、前記樹脂製平板は、その裏面に絵画、写真、図形、記号又は文字の一以上からなる模様が裏面に反転印刷されたものである収納具を提供する。
【考案の効果】
【００１３】
本考案によれば、主面に平板を取り付けることで、従来にはなかった新たな美感を起こさせるとともに、当該平板を筆記などの下敷きなどとして用いることができるという機能性を持たせた収納具を提供することが可能となる。また、この平板の取付けを着脱自在なものとした場合には、さらに異なる美感を起こさせることが可能な収納具を提供することが可能となる。
【図面の簡単な説明】
【００１４】
【図１】本実施例の収納具の構成の一例を示す図
【図２】本実施例の収納具における透明樹脂製平板の構成の一例を示す図
【図３】本実施例の収納具における透明樹脂製平板の構成の一例を示す図
【図４】本実施例の収納具における透明樹脂製平板の構成の一例を示す図
【図５】本実施例の収納具における樹脂製平板の構成の一例を示す図
【符号の説明】
【００１５】
０１００  収納具
０１０１  収納具本体
０１０２  樹脂製平板
０１０２ａ  模様
０１０３  主面のうちの一面
０１０４  ビス
０１０５  袋ナット
０１０６  主面のうちの他面
０１０７  ビス孔
０１０８  ファスナー
【考案を実施するための形態】
【００１６】
以下に本考案の実施例を説明する。なお、本考案はこれらの実施例に限定されるものではなく、その要旨を逸脱しない範囲において、種々なる態様で実施しうる。
【実施例】
【００１７】
＜構成＞
（全般）
図１に、本実施例の収納具の構成の一例を示す。本図のうち（ａ）は斜視図、（ｂ）は（ａ）のＡ−Ａ線端面図である。本図に示すように、本実施例の収納具０１００は、収納具本体０１０１と、樹脂製平板０１０２とを有する。
【００１８】
本考案における収納具には、かばん類や袋物など、物を収納して携帯することが可能なものが広く含まれる。かばん類には、かばん、バッグ、手提げ袋、アタッシュケース、スーツケース、トランク、ランドセル、リュックサック、ポーチ、ポシェットなど、名称のいかんにかかわらず、物を収納して持ち運ぶことを目的とした箱状ないし袋状の用具が広く包含される。また、袋物は、名称のいかんにかかわらず、物を収納して持ち運ぶことを目的とした袋状の用具（ただし、かばん類に含まれるものを除く）をいい、例えば財布、ペンケース、定期入れ、カード入れ、キーケース、買い物袋などが含まれる。図１に示したものは、一般にポーチと呼ばれる小物収納用バッグの例であり、バッグの側面に備えられたファスナー０１０８を開閉して収納物の出し入れを行うようにしたものである。大きさとしては、バッグ本体の厚みが２センチメートル程度、主面をなす二つの面が丸みを帯びた略正三角形状であって一辺の長さが１０〜１５センチメートル程度の寸法のものが想定されている。
【００１９】
ここで、本考案における収納具の「主面」とは、収納具の外面のうち最も広い面積を有する面をいい、収納具において美感を起こさせる中心的な構成部分をなす部分である。図１のように表裏両面に広い面積を有する面を有する形状の収納具にあっては、当該表裏両面０１０３、０１０６が主面に該当する。なお、本考案は、主面に平板が取り付けられるように構成されるものであることから、主面は平面であることが想定されている。ただし、平板を取り付けたときに美感を損なわない程度であれば主面が曲面であっても差し支えない。
【００２０】
主面の形状に特に限定はなく、収納具の種類に応じて適宜設計される。例えば、アタッシュケースやスーツケースであれば略長方形状のもの、ポーチや財布であれば図１に示したような略正三角形状のもののほか、略円形状、略楕円形状、略四角形状、略多角形状（角の数が五以上）のものなどが考えられる。
【００２１】
（樹脂製平板）
樹脂製平板（以下単に「平板」ということがある。）は、収納具本体の主面の少なくとも一面に取り付けられる。図１では、樹脂製平板が収納具本体の主面のうちの一面０１０３のみに取り付けられている。本図の例と異なり、樹脂製平板が収納具本体の主面の両面に取り付けられていてもよい。
【００２２】
平板とは文字通り平らな板状の部材をいうが、用途を妨げない範囲で若干の凹凸があっても差し支えない。平板の用途としては、筆記などの際に下敷きとして用いたり、物を置く台として用いたりすることが挙げられる。例えば、公園のベンチで紙に文字を書いたり弁当を食べたりする際に、当該平板を下敷きやテーブルとして用いることが考えられる。下敷きとして用いる場合には平板ができるだけ精密な平面を有するものであることが望ましいが、テーブルとして用いる場合には若干の凹凸があっても支障はないであろう。
【００２３】
平板は、これが取り付けられる主面の一面と略合同の形状を有し、当該一面の略全面を覆うように取り付けられる。これにより、平板のデザインが当該一面のほぼ全面に現れるため、従来の収納具にはなかった新たな美感を生じさせ、見る者に強い印象を与えることができる。また、平板が収納具の主面とほぼ同じ面積を有することで、前述のような下敷きやテーブルとして用いるのに適した面積を確保することができる。
【００２４】
「略合同」には、美感を損なわない範囲で、平板の面積の方がこれを取り付ける主面の一面よりも広くてもよく、この場合、特に、平板の周縁のうち主面の下端側（収納具の底面に近い方）に取り付けられる部分は、直線状の辺であって収納具本体の下端と同じかこれよりも若干下に位置するように取り付けられていることが望ましい。また、これに伴い、平板と主面の形状が若干異なるものとなっても差し支えない。
【００２５】
図５は、本実施例の収納具における樹脂製平板の構成の一例を示す図であって、このような平板の面積の方がこれを取り付ける主面の一面よりも広くかつ平板の周縁のうち主面の下端側に取り付けられる部分が直線状の辺である例を示したものである。本図は、収納具本体が図１に示したものと同様の形状を有する例を用いて、収納具と平板の形状を正面から見た状態を概念図で示したものである。本図において、収納具本体の主面０５０３の形状が図１と同様に略正三角形状であるのに対し、樹脂製平板０５０２の形状は、主面の下端側に取り付けられる部分０５０２ａ（平板０５０２の周縁のうち直線部分のみを示す）が直線状の辺をなす略五角形状であり、平板と主面の形状が若干異なっている。また平板の面積の方が主面の面積よりも若干広いものとなっている。
【００２６】
このように平板の下端側を直線状の直線状の辺であってかつ収納具本体の下端と同じかこれよりも若干下に位置するように取り付けることの効果として、収納具本体単独では直立させることが困難な場合であっても、平板を利用して収納具を床や地面、あるいはテーブルの上などに直立させることができることが挙げられる。さらに、収納具を直立させたままの状態でこれを他の用途に利用する（例えば、ポーチをテーブル上に直立させファスナーを開けた状態でペン立てとして利用する）ことができるという効果も考えられる。以上の場合、好適には収納具本体の二つの主面の両方に平板が取り付けられていることが望ましい。ただし、平板の厚みをある程度厚くしたものであれば主面の一面にのみ平板を取り付けたものであってもよい。
【００２７】
平板の厚みは、取り付けられる収納具の寸法や収納具全体の美観に与える影響などを考慮して適切に設計される。図１の例では、前述したバッグ本体の寸法（厚みが２センチメートル程度、略正三角形状の主面の寸法が一辺１０〜１５センチメートル程度）であることなどを考慮して２〜３ミリメートル程度を想定している。この厚みの設計に際しては、後述する透明樹脂製平板の両面に模様を描く場合に模様に奥行きがあるような印象を与える厚みにすることを考慮してもよい。
【００２８】
平板の素材には樹脂が用いられるところ、上述のような下敷きなどの用途を考慮した場合、硬質樹脂を用いることが望ましく、例えばアクリル樹脂、ポリカーボネイト樹脂、ＡＳ（Ａｃｒｙｌｏｎｉｔｒｉｌｅ  Ｓｔｙｒｅｎｅ）樹脂、ＡＢＳ（Ａｃｒｙｌｏｎｉｔｒｉｌｅ  Ｂｕｔａｄｉｅｎｅ  Ｓｔｙｒｅｎｅ）樹脂などが用いられる。ただし、財布やキーケースのように下敷きやテーブルとして用いることがあまり想定できないものに取り付ける場合は、軟質樹脂を用いてもよく、例えば、ポリエチレン製、ポリプロピレン製、軟質塩化ビニール製のものなどが考えられる。
【００２９】
また、平板は不透明樹脂、透明樹脂、半透明樹脂のいずれであってもよい。ここで透明には無色透明と有色透明の双方が含まれ得る。透明樹脂製平板の素材としては、例えばアクリル樹脂、ポリカーボネイト樹脂、ＡＳ樹脂などが用いられる。なかでも透明アクリル樹脂は、透明性・耐久性に優れた素材であり、透明樹脂製平板の素材として好適なものである。
【００３０】
平板は、無地のものであってもよいが、その表面（ひょうめん）に絵画、写真、図形、記号又は文字の一以上からなる模様を印刷などによって描いたものであってもよい。ここで平板の表面（ひょうめん）とは、表（おもて）面（即ち、見る者の方向に向いた面）と、裏面（即ち、収納具の方向に向いた面）のいずれか一方もしくは両方をいう。図１に示したものは、透明樹脂製平板の裏面に模様０１０２ａを反転印刷したものである（なお、煩雑を避けるため、図１（ａ）において模様を除き平板裏面の図示を省略した）。
【００３１】
あるいは、模様を印刷したシール、テープ等を平板の表面（ひょうめん）に貼り付けてもよい。裏面にシール等を貼り付ける場合には、模様を印刷した面を接着剤の塗布面として貼り付けるようにすればよい。シール等は着脱可能なものであってもよく、このような構成によればシールを貼り換えることで平板に現れる模様を簡単に交換することができる。その際、表（おもて）面にシールを貼り付ければ、平板を着脱することなくシールを交換することができる。一方、裏面にシールを貼り付ければ、シールの貼換えの際に平板の着脱は必要となるものの、シールを剥がれにくくしたり傷つきにくくしたりすることが可能となる。
【００３２】
さらに、模様は平板の表面（ひょうめん）にレリーフ加工などによって凹凸を形成して設けたものであってもよい。
【００３３】
平板が不透明樹脂製のものである場合には、模様は表（おもて）面のみに描かれるのが通例である（ただし、後述のように平板を着脱自在として一つの平板の表裏を入れ替えて取り付けるようにした場合には、模様が両面に描かれていてもよい）。一方、平板が透明樹脂製（半透明樹脂製を含む。以下同じ）のものである場合には、これら模様は表（おもて）面のみに描かれてもよいし、裏面のみに描かれてもよいし、両面に描かれてもよい。裏面に描いた場合には模様が損傷しにくいといった利点がある。
【００３４】
透明樹脂製平板の裏面に模様を印刷する場合には、反転印刷が用いられる。本考案において反転印刷とは、通常の印刷における表裏を反転させた印刷をいい、これにより平板の表（おもて）面側から当該平板を介して見た時に、印刷されている模様を通常の印刷と同じように印刷面側から見ることができるようにしたものである。透明樹脂製平板を用いる場合には、両面に模様を描いてもよい。印刷により模様を描く場合には、表（おもて）面には通常の印刷、裏面には反転印刷が用いられる。
【００３５】
樹脂製平板は均質な素材のものであってもよいが、透明樹脂製平板の場合には、内部に金属片やビーズなどを封入して模様を形成したものであってもよい。
【００３６】
図２は、本実施例の収納具における透明樹脂製平板の構成の一例を示す図であって、両面に模様が印刷される例を示したものである。本図のうち（ａ）は斜視図、（ｂ）は（ａ）のＡ−Ａ線端面図である。本図において、平板０２０２の表（おもて）面には相対的に小さな模様０２０２ａが、裏面には相対的に大きな模様０２０２ｂが描かれており、表（おもて）面側から見る者に対して表（おもて）面の模様の方が近くにあるため、見る者に模様に奥行きがあるような印象を与えることができる。本図では図示の便宜上単純な模様を印刷した構成の例で示したが、このような構成のより実際的な具体例として、表（おもて）面に草木の花弁を印刷し、裏面にその周囲のがくや葉を反転印刷することで花弁が浮き上がってみえるようにしたものなどが考えられる。
【００３７】
樹脂製平板を収納具本体の主面の一面に取り付ける方法としては、例えば、平板の周縁部に設けた多数の孔を介して糸で縫い付けたり、接着剤で貼り付けたりする方法が用いられる。
【００３８】
その際、平板は着脱自在に取り付けられていることが望ましい。この場合の取付け方法としては、ビスなどを用いて留める方法、一対の面ファスナーで留める方法などを用いることができる。図１に示したものも平板を着脱自在に取り付けた例であり、主面の一面に穿った三個の孔を介してビス０１０４と袋ナット０１０５で平板を留めて、ドライバーや素手で簡単に取り外したり装着したりすることができるようにしたものである。
【００３９】
このように平板を着脱自在に取り付ける構成によれば、一つの平板をある時は収納具の主面のうちの一面に取り付け、別のある時は主面のうちの他面に取り付けるといったように取付け面をその時々によって任意に選択することができる。例えば、収納具の主面の両面がそれぞれ異なる模様や色彩を有する場合、平板を透明樹脂製のものとした上で、その時の気分などによって当該平板を表（おもて）面に取り付けたり、裏面に付け替えたりすることで、異なるデザインを楽しむことができる。なお、このような着脱を可能にするため、収納具の両面に取り付けのための手段（例えばビス孔、一対の面ファスナーの一方など）を予め取り付けておけばよい。図１に示した収納具も、主面のうちの他面（平板が取り付けられる一面ではない方の面）０１０６にもこのような手段としてビス孔０１０７を備えている例である。この場合、他面のビス孔は一面と同じ位置（即ち、平板を他面に重ね合わせたときに平板のビス孔に重なる位置）に設けられる。
【００４０】
あるいは、一つの平板の両面に異なる模様を描いておき、主面のうちの一面に、ある時は表（おもて）面を外側にして取り付け、別のある時は裏面を外側にして取り付けるようにしてもよい。この着脱をビス留めにより行う場合には、このような取付けを可能にするために平板のビス孔は、表裏いずれを外側にしても主面のビス孔に重なる位置に設けられる。
【００４１】
また、模様や色彩の異なる着脱自在な平板を複数備えて、これらを一面に交互に取り付けることができるようにしてもよく、このような構成によっても異なる美観を楽しむことができる。この場合には、収納具側の取付け手段は主面の一方にのみ備えておけば足りるが、異なる模様や色彩を有する両面に備えておいてもよい。
【００４２】
さらに、透明樹脂製平板を用いる場合には、これらを複数枚重ね合わせたものを備えていてもよい。なお、この場合、収納具の主面に一番近い平板は不透明樹脂製平板であってもよい。
【００４３】
図３、図４は、本実施例の収納具における透明樹脂製平板の構成の一例を示す図であって、このような複数枚重ね合わせて備えられる例を図２（ｂ）と同様の端面図で示したものである。図３は、２枚の透明樹脂製平板０３０２Ａ、０３０２Ｂを重ね合わせる例を示したものであり、それぞれの平板を別々に示したものである。図中矢印Ａ方向が表（おもて）面側、即ち、見る者に面した方向である。本図において、２枚の平板のそれぞれの裏面に模様０３０３ａ、０３０３ｂが反転印刷によって描かれている。
【００４４】
図４は図３に示した２枚の平板０３０２Ａ、０３０２Ｂを重ね合わせた状態を示し、平板０４０２Ａが図３における平板０３０２Ａに、平板０４０２Ｂが図３における平板０３０２Ｂにそれぞれ対応する。このように平板を重ね合わせて備えるようにすることで、見る者に対し模様に奥行きがあるような印象を与えることができる。なお、模様を描く面は、図３、図４の例と異なり、表（おもて）面あるいは両面であってもよい。
【００４５】
さらに、図３、図４に示した例とは異なり、重ね合わせて備えられる平板の枚数は３枚以上であってもよい。このような構成によれば、見る者に対し模様により深い奥行きがあるような印象を与えることができる。平板の枚数を何枚にするかは、上述のような効果と収納具全体に占める平板の体積のバランスなどを考慮して適切に設計される。
【００４６】
＜効果＞
本実施例の考案によれば、主面に平板を取り付けることで、従来にはなかった新たな美感を起こさせるとともに、当該平板を筆記などの下敷きなどとして用いることができるという機能性を持たせた収納具を提供することが可能となる。また、この平板の取付けを着脱自在なものとした場合には、さらに異なる美感を起こさせることが可能な収納具を提供することが可能となる。
【図１】
0003207553.tif 000003
【図２】
0003207553.tif 000004
【図３】
0003207553.tif 000005
【図４】
0003207553.tif 000006
【図５】
0003207553.tif 000007